(57)【要約】【課題】振動や力が加わったときに電磁ノイズが生じることを解決する電子機器、電子部品ユニットを提供する。【解決手段】電子機器１Ｃは、係合レバー７０と、被係合部材４０と、を備える。係合レバー７０は、一方の端部が前後方向に揺動可能となるレバー本体７１と、レバー本体７１の他方の端部に設けられた係合溝７８と、レバー本体７１を筐体２０に拘束する拘束部材７９と、を備える。レバー本体７１は、一方の端部が挿入方向Ｄｉ後方に突出して傾斜し、係合溝７８が被係合部材４０に突き当たる第一の状態Ｐ２１と、レバー本体７１が鉛直となり、係合溝７８が被係合部材４０に係合する第二の状態と、の間で変位可能であり、拘束部材７９は、レバー本体７１を第二の状態に拘束可能である。【選択図】図１０
2020077697.tif 000002
【特許請求の範囲】
【請求項１】
筐体と、
前記筐体に設けられた収容部に対して着脱可能に設けられ、電子部品が備えられた電子部品ユニット本体と、
前記電子部品ユニット本体を前記収容部に係合させる係合レバーと、
前記収容部に設けられ、前記係合レバーが係合可能な被係合部材と、を備え、
前記係合レバーは、
上下方向に延び、上下方向の一方の端部が前後方向に揺動可能となるよう、前記電子部品ユニット本体に連結されたレバー本体と、
前記レバー本体の上下方向の他方の端部に設けられ、前記被係合部材に係合する係合溝と、
前記レバー本体を前記筐体に拘束する拘束部材と、を備えるとともに、
前記レバー本体が、前記他方の端部に対して前記一方の端部が前記収容部に対する前記電子部品ユニット本体の挿入方向後方に突出して傾斜し、前記係合溝が前記被係合部材に挿入方向後方から突き当たる第一の状態と、
前記レバー本体が前記一方の端部から前記他方の端部まで鉛直となり、前記係合溝が前記被係合部材に係合する第二の状態と、の間で変位可能であり、
前記拘束部材は、前記レバー本体を前記第二の状態に拘束可能である
電子機器。
【請求項２】
前記レバー本体は、前記係合溝が形成された前記他方の端部が下方に配置され、前記拘束部材が設けられた前記一方の端部が上方に位置するよう設けられている
請求項１に記載の電子機器。
【請求項３】
前記被係合部材は、少なくとも前記収容部に対する前記電子部品ユニット本体の挿入方向後方側が、円周状に湾曲した外周面を有している
請求項１または２に記載の電子機器。
【請求項４】
前記電子部品ユニット本体は、前記筐体側に設けられた受けコネクタに電気的に接続される接続コネクタを有し、
前記第一の状態では、前記接続コネクタと前記受けコネクタとが前記電子部品ユニット本体の挿入方向に間隔をあけて対向し、
前記第二の状態で、前記接続コネクタと前記受けコネクタとが互いに接続される
請求項１から３のいずれか一項に記載の電子機器。
【請求項５】
前記レバー本体は、
前記電子部品ユニット本体において前記収容部に対する挿入方向側方を向く側面に沿って設けられるレバー基部と、
前記レバー基部から前記収容部に対する挿入方向に交差する方向に延出し、前記第二の状態で、前記拘束部材によって固定されるレバー延出部と、を有する
請求項１から４のいずれか一項に記載の電子機器。
【請求項６】
前記電子部品ユニット本体と前記収容部の内周面との間に、電磁シールド部材が設けられている
請求項１から５のいずれか一項に記載の電子機器。
【請求項７】
電子機器の筐体に設けられた収容部に対して着脱可能に設けられ、電子部品が備えられた電子部品ユニット本体と、
前記電子部品ユニット本体を前記収容部に係合させる係合レバーと、を備え、
前記係合レバーは、
上下方向に延び、上下方向の一方の端部が前後方向に揺動可能となるよう、前記電子部品ユニット本体に連結されたレバー本体と、
前記レバー本体の上下方向の他方の端部に設けられ、前記収容部に設けられる被係合部材に係合する係合溝と、
前記レバー本体を前記筐体に拘束する拘束部材と、を備えるとともに、
前記レバー本体が、前記他方の端部に対して前記一方の端部が前記収容部に対する前記電子部品ユニット本体の挿入方向後方に突出して傾斜し、前記係合溝が前記被係合部材に挿入方向後方から突き当たる第一の状態と、
前記レバー本体が前記一方の端部から前記他方の端部まで鉛直となり、前記係合溝が前記被係合部材に係合する第二の状態と、の間で変位可能であり、
前記拘束部材は、前記レバー本体を前記第二の状態に拘束可能である
電子部品ユニット。
【発明の詳細な説明】
【技術分野】
【０００１】
本発明は、電子機器、電子部品ユニットに関する。
【背景技術】
【０００２】
コンピュータ装置等をはじめとする各種の電子機器において、筐体に設けられたスロットに、電子部品が搭載された電子部品ユニットを装着するものがある。このような電子機器は、電子部品ユニットが、スロットに対して挿抜可能とされている。
【０００３】
特許文献１には、電子部品ユニット（パッケージ）がスロットに対して挿抜可能とされた構成が開示されている。この構成においては、筐体（ケース）内に、スロットに対する電子部品ユニット（パッケージ）の挿抜方向を案内するガイド部材（レール）が設けられている。また、スロットには、電子部品ユニット側に設けられた接続コネクタ（プラグ）が接続される受けコネクタ（ソケット）が設けられている。このような構成では、電子部品ユニットをガイド部材に沿ってスロット内に挿入し、電子部品ユニット側に設けられた接続コネクタを受けコネクタに接続することで、電子部品ユニットが装着される。
【０００４】
さらに、特許文献１に開示された構成では、イジェクトレバーが設けられている。イジェクトレバーは、筐体に、取付軸中心に回転可能に設けられている。イジェクトレバーは、先端に、筐体側に設けられた係合部（曲げ端末）に係合する切込みを有している。電子部品ユニットをスロットから取り外す際には、イジェクトレバーを取付軸周りに回転させることで、受けコネクタからコネクタを容易に抜去する。
【先行技術文献】
【特許文献】
【０００５】
【特許文献１】特開平７−３１９７９８号公報
【発明の概要】
【発明が解決しようとする課題】
【０００６】
ところで、スロットに装着した電子部品ユニットに、外部から振動や力が加わったときに、電磁ノイズが生じる場合がある。例えば、イジェクトレバーに触れてしまった場合、イジェクトレバーを介して電子部品ユニットが動き、電子部品ユニットの接続コネクタと受けコネクタとの接触状態が変化し、電磁ノイズが発生することがある。また、スロットに電子部品ユニットを装着する際、筐体側の受けコネクタに電子部品ユニット側の接続コネクタが当たったときに振動が発生することもある。この場合、発生した振動が、他のスロットに装着された電子部品ユニットの接続コネクタと受けコネクタとの接続部分に伝わり、電磁ノイズが生じることがある。
【０００７】
本発明の目的は、上述した課題である、振動や力が加わったときに電磁ノイズが生じることを解決する電子機器、電子部品ユニットを提供することにある。
【課題を解決するための手段】
【０００８】
本発明の電子機器は、筐体と、前記筐体に設けられた収容部に対して着脱可能に設けられ、電子部品が備えられた電子部品ユニット本体と、前記電子部品ユニット本体を前記収容部に係合させる係合レバーと、前記収容部に設けられ、前記係合レバーが係合可能な被係合部材と、を備える。前記係合レバーは、上下方向に延び、上下方向の一方の端部が前後方向に揺動可能となるよう、前記電子部品ユニット本体に連結されたレバー本体と、前記レバー本体の上下方向の他方の端部に設けられ、前記被係合部材に係合する係合溝と、前記レバー本体を前記筐体に拘束する拘束部材と、を備える。前記レバー本体は、前記他方の端部に対して前記一方の端部が前記収容部に対する前記電子部品ユニット本体の挿入方向後方に突出して傾斜し、前記係合溝が前記被係合部材に挿入方向後方から突き当たる第一の状態と、前記一方の端部から前記他方の端部まで鉛直となり、前記係合溝が前記被係合部材に係合する第二の状態と、の間で変位可能である。前記拘束部材は、前記レバー本体を前記第二の状態に拘束可能である。
【０００９】
本発明の電子部品ユニットは、電子機器の筐体に設けられた収容部に対して着脱可能に設けられ、電子部品が備えられた電子部品ユニット本体と、前記電子部品ユニット本体を前記収容部に係合させる係合レバーと、を備える。前記係合レバーは、上下方向に延び、上下方向の一方の端部が前後方向に揺動可能となるよう、前記電子部品ユニット本体に連結されたレバー本体と、前記レバー本体の上下方向の他方の端部に設けられ、前記収容部に設けられる被係合部材に係合する係合溝と、前記レバー本体を前記筐体に拘束する拘束部材と、を備える。前記レバー本体は、前記他方の端部に対して前記一方の端部が前記収容部に対する前記電子部品ユニット本体の挿入方向後方に突出して傾斜し、前記係合溝が前記被係合部材に挿入方向後方から突き当たる第一の状態と、前記一方の端部から前記他方の端部まで鉛直となり、前記係合溝が前記被係合部材に係合する第二の状態と、の間で変位可能である。前記拘束部材は、前記レバー本体を前記第二の状態に拘束可能である。
【発明の効果】
【００１０】
本発明の電子機器、電子部品ユニットでは、振動や力が加わったときに電磁ノイズが生じるのを抑えることができる。
【図面の簡単な説明】
【００１１】
【図１】本発明の電子機器の最小構成を示す図である。
【図２】本発明の電子機器の最小構成において、第一の状態における係合レバーを示す図である。
【図３】本発明の電子部品ユニットの最小構成を示す図である。
【図４】本発明の電子部品ユニットの最小構成において、第一の状態における係合レバーを示す図である。
【図５】本発明の電子機器の構成を示す平面図である。
【図６】本発明の電子機器の構成を示す側断面図である。
【図７】本発明の電子機器の筐体に設けられたスロットを示す斜視図である。
【図８】本発明の電子機器の筐体に設けられたスロットを、図７とは異なる方向から見た斜視図である。
【図９】本発明の電子機器を構成する電子部品ユニットを示す斜視図である。
【図１０】本発明の電子機器を構成する電子部品ユニットをスロット挿入し、係合レバーが第一の状態にあるときの状態を示す側面図である。
【図１１】本発明の電子機器を構成する電子部品ユニットをスロットから取り外した状態を示す側面図である。
【発明を実施するための形態】
【００１２】
本発明の複数の実施形態に関して図面を参照して以下に説明する。ただし、本実施形態に関して前述した特許文献１と同一の部分に関しては、同一の名称を使用して詳細な説明は省略する。
以下の説明において、電子部品ユニット本体とは、電子部品ユニットの本体部であって、電子部品を含む一群の部材を意味する。
また、以下の説明において、レバー本体とは、係合レバーの本体部であって、一方向へ延びる延在部材を意味する。
【００１３】
［第１の実施形態］
図１は、本実施形態による電子機器の最小構成を示す図である。
この図が示すように、電子機器１Ａは、筐体２と、被係合部材４と、電子部品ユニット本体６と、係合レバー７と、を少なくとも備えていればよい。
【００１４】
筐体２は、電子機器１Ａの外殻をなす。筐体２は、収容部３を有する。収容部３は、電子部品ユニット本体６を収容する。
被係合部材４は、収容部３に設けられる。被係合部材４は、係合レバー７が係合可能である。
【００１５】
電子部品ユニット本体６は、収容部３に対して着脱可能に設けられる。電子部品ユニット本体６は、電子部品６ｐを備える。
【００１６】
係合レバー７は、電子部品ユニット本体６を収容部３に係合させる。係合レバー７は、レバー本体８と、拘束部材９と、を備える。
【００１７】
レバー本体８は、上下方向Ｄｖに延びている。レバー本体８は、上下方向Ｄｖの一方の端部８ａが前後方向に揺動可能となるよう、電子部品ユニット本体６に連結される。レバー本体８は、上下方向Ｄｖの他方の端部８ｂに、係合溝８ｍを備える。係合溝８ｍは、被係合部材４に係合する。
このようなレバー本体８は、以下に示す第一の状態Ｐ１と第二の状態Ｐ２との間で変位可能である。
【００１８】
図２は、本発明の電子機器の最小構成において、第一の状態における係合レバーを示す図である。
この図に示すように、第一の状態Ｐ１において、レバー本体８は、一方の端部８ａが他方の端部８ｂに対し、収容部３に対する電子部品ユニット本体６の挿入方向Ｄｉの後方に突出して傾斜する。また、第一の状態Ｐ１において、レバー本体８は、係合溝８ｍが被係合部材４に挿入方向Ｄｉの後方から突き当たる。
【００１９】
図１に示すように、第二の状態Ｐ２において、レバー本体８は、一方の端部８ａが他方の端部８ｂまで鉛直となる。第二の状態Ｐ２において、レバー本体８は、係合溝８ｍが被係合部材４に係合する。
【００２０】
拘束部材９は、レバー本体８を筐体２に拘束する。拘束部材９は、レバー本体８を第二の状態Ｐ２に拘束可能である。
【００２１】
この電子機器１Ａは、拘束部材９によってレバー本体８の揺動を拘束することで、係合溝８ｍがレバー本体８に係合した第二の状態Ｐ２を維持できる。これにより、レバー本体８が外力によって動くこともなく、電子部品ユニット本体６を、収容部３に収容した状態で確実に保持することができる。
また、レバー本体８の係合溝８ｍが被係合部材４に係合した状態で、拘束部材９によってレバー本体８が固定される。これにより、電子部品ユニット本体６は、収容部３に強固に固定された係合レバー７によって固定されることになる。したがって、外力や振動等によって、収容部３に収容された電子部品ユニット本体６に振動が生じるのを抑えることができる。
このようにして、電子部品ユニット本体６の振動によって、筐体２内に設けられたコネクタ等の接続状態が変化し、電磁ノイズが生じるのを抑えることができる。
【００２２】
さらに、電子部品ユニット本体６を収容部３に装着する際には、レバー本体８の係合溝８ｍを、被係合部材４に対して挿入方向Ｄｉの後方から突き当てた第一の状態Ｐ１とする。この後、レバー本体８を回動させて、一方の端部８ａから他方の端部８ｂまで鉛直として第二の状態Ｐ２とする。このように、レバー本体８を、第一の状態Ｐ１を経て第二の状態Ｐ２に移行させることで、係合溝８ｍを被係合部材４に段階的に係合させる。これによって、電子部品ユニット本体６を収容部３に装着する際に振動等が生じるのを抑えることができる。
このようにして、電子部品ユニット本体６に外部から振動や力が加わったときに電磁ノイズが生じるのを抑えることができる。
【００２３】
なお、上記実施形態において、筐体２を、例えば箱状に図示したが、その形状、構成については他のいかなるものとしても良い。
また、上記実施形態において、レバー本体８は、上方に位置する一方の端部８ａが前後方向に移動可能となり、下方に位置する他方の端部８ｂに係合溝８ｍを備えるようにしたが、これに限らない。レバー本体８の下方に位置する端部を前後方向に移動可能とし、上方に位置する端部に係合溝を備えるようにしてもよい。
さらに、上記実施形態において、被係合部材４、及び係合溝８ｍを図示したが、その形状や位置については、互いに係合可能であれば、いかなるものであってもよい。
【００２４】
［第２の実施形態］
図３は、本実施形態による電子部品ユニットの最小構成を示す図である。
この図が示すように、電子部品ユニット１０は、電子部品ユニット本体１６と、係合レバー１７とを、少なくとも備えていればよい。
【００２５】
電子部品ユニット本体１６は、電子機器１Ｂの筐体１２に設けられた収容部１３に対して着脱可能に設けられる。電子部品ユニット本体１６は、電子部品１６ｐを備える。
【００２６】
係合レバー１７は、電子部品ユニット本体１６を収容部１３に係合させる。係合レバー１７は、レバー本体１８と、拘束部材１９と、を備える。
【００２７】
レバー本体１８は、上下方向Ｄｖに延びている。レバー本体１８は、上下方向Ｄｖの一方の端部１８ａが前後方向に揺動可能となるよう、電子部品ユニット本体１６に連結される。レバー本体１８は、上下方向Ｄｖの他方の端部１８ｂに、係合溝１８ｍを備える。係合溝１８ｍは、被係合部材１４に係合する。
このようなレバー本体１８は、以下に示す第一の状態Ｐ１１と第二の状態Ｐ１２との間で変位可能である。
【００２８】
図４は、本発明の電子部品ユニットの最小構成において、第一の状態における係合レバーを示す図である。
この図に示すように、第一の状態Ｐ１１において、レバー本体１８は、一方の端部１８ａが他方の端部１８ｂに対し、収容部１３に対する電子部品ユニット本体１６の挿入方向Ｄｉの後方に突出して傾斜する。また、第一の状態Ｐ１１において、レバー本体１８は、係合溝１８ｍが被係合部材１４に挿入方向Ｄｉの後方から突き当たる。
【００２９】
図３に示すように、第二の状態Ｐ１２において、レバー本体１８は、一方の端部１８ａから他方の端部１８ｂまで鉛直となる。第二の状態Ｐ１２において、レバー本体１８は、係合溝１８ｍが被係合部材１４に係合する。
【００３０】
拘束部材１９は、レバー本体１８を筐体１２に拘束する。拘束部材１９は、レバー本体１８を第二の状態Ｐ１２に拘束可能である。
【００３１】
この電子部品ユニット１０は、拘束部材１９によってレバー本体１８の揺動を拘束することで、係合溝１８ｍがレバー本体１８に係合した第二の状態Ｐ１２を維持できる。これにより、レバー本体１８が外力によって動くこともなく、電子部品ユニット本体１６を、収容部１３に収容した状態で確実に保持することができる。
【００３２】
また、レバー本体１８の係合溝１８ｍが被係合部材１４に係合した状態で、拘束部材１９によってレバー本体１８が固定される。これにより、電子部品ユニット本体１６は、収容部１３に強固に固定された係合レバー１７によって固定されることになる。したがって、外力や振動等によって、収容部１３に収容された電子部品ユニット本体１６に振動が生じるのを抑えることができる。これにより、電子部品ユニット本体１６の振動によって、筐体１２内に設けられたコネクタ等の接続状態が変化し、電磁ノイズが生じるのを抑えることができる。
【００３３】
さらに、電子部品ユニット本体１６を収容部１３に装着する際には、レバー本体１８の係合溝１８ｍを、被係合部材１４に対して挿入方向Ｄｉの後方から突き当てた第一の状態Ｐ１１とする。その後、レバー本体１８を回動させて、一方の端部１８ａが他方の端部１８ｂまで鉛直として第二の状態Ｐ１２とする。このように、レバー本体１８を、第一の状態Ｐ１１を経て第二の状態Ｐ１２に段階的に移行させることで、電子部品ユニット本体１６を収容部１３に装着する際に振動等が生じるのを抑えることができる。
このようにして、電子部品ユニット本体１６に外部から振動や力が加わったときに電磁ノイズが生じるのを抑えることができる。
【００３４】
なお、上記実施形態において、筐体１２を、例えば箱状に図示したが、その形状、構成については他のいかなるものとしても良い。
また、上記実施形態において、レバー本体１８は、上方に位置する一方の端部１８ａが前後方向に移動可能となり、下方に位置する他方の端部１８ｂに係合溝１８ｍを備えるようにしたが、これに限らない。レバー本体１８の下方に位置する端部を前後方向に移動可能とし、上方に位置する端部に係合溝を備えるようにしてもよい。
さらに、上記実施形態において、被係合部材１４、及び係合溝１８ｍを図示したが、その形状、位置等については、互いに係合可能であれば、いかなるものであってもよい。
【００３５】
［第３の実施形態］
図５は、本発明の電子機器の構成を示す平面図である。図６は、本発明の電子機器の構成を示す側断面図である。
図５、図６に示すように、本実施形態の電子機器１Ｃは、筐体２０と、被係合部材４０（図６参照）と、電子部品ユニット５０を備える。
【００３６】
筐体２０は、電子機器１Ｃの外殻をなす。筐体２０は、中空箱状をなし、その内部に各種の電子部品等を収容する。筐体２０は、底板２１と、一対の側板２２と、上板２３（図６参照）と、を備える。
以下の説明において、一対の側板２２が対向する方向を幅方向Ｄｗ、底板２１に直交する方向を上下方向Ｄｖ、幅方向Ｄｗおよび上下方向Ｄｖに直交する方向を前後方向Ｄａとする。
【００３７】
底板２１は、筐体２０の下面を形成する。底板２１は、平面視矩形状をなしている。
一対の側板２２は、筐体２０の幅方向Ｄｗの両側に設けられている。一対の側板２２は、それぞれ、底板２１の幅方向Ｄｗ両端部から上方に向かって立ち上がるように設けられている。
上板２３は、底板２１に対し、上下方向Ｄｖに間隔をあけて設けられている。上板２３は、一対の側板２２上に設けられている。
【００３８】
図７は、本発明の電子機器の筐体に設けられたスロットを示す斜視図である。図８は、本発明の電子機器の筐体に設けられたスロットを、図７とは異なる方向から見た斜視図である。
図５〜図８に示すように、筐体２０は、前後方向Ｄａの一方の側の端部２０ａに、複数のスロット（収容部）３０を有する。スロット３０は、幅方向Ｄｗに複数個が並べて設けられている。筐体２０の端部２０ａには、幅方向Ｄｗに間隔をあけて、複数の仕切壁２５が設けられている。仕切壁２５は、板状で、幅方向Ｄｗに直交する鉛直面内に配置されている。仕切壁２５は、その上下方向Ｄｖの両端が、底板２１と上板２３とに接続されている。底板２１及び上板２３と、幅方向Ｄｗで互いに隣り合う仕切壁２５、又は側板２２及び仕切壁２５と、に囲まれて、スロット３０が形成されている。各スロット３０は、直方体状の空間である。各スロット３０は、筐体２０の端部２０ａにおいて、前後方向Ｄａの一方の側に向かって開口している。スロット３０は、電子部品ユニット本体６０を着脱可能に収容する。
本実施形態において、筐体２０は、例えば、３個のスロット３０を備える。しかし、筐体２０に備えるスロット３０の数は、何ら限定するものではない。また、筐体２０に、スロット３０を上下方向Ｄｖに複数段に積層して設けてもよい。
【００３９】
各スロット３０において、幅方向Ｄｗ一方の側（図７、図８において左方）の仕切壁２５の上部には、幅方向Ｄｗにおいてスロット３０の内方に向かって突出する座部３１が形成されている。座部３１は、前後方向Ｄａに直交する面内に設けられている。座部３１には、前後方向Ｄａに延びる雌ネジ孔３２が形成されている。
【００４０】
被係合部材４０は、スロット３０に設けられる。被係合部材４０は、係合レバー７０が係合可能である。被係合部材４０は、各スロット３０において、幅方向Ｄｗ一方の側（例えば、図７において左方）の仕切壁２５に設けられている。被係合部材４０は、仕切壁２５から、幅方向Ｄｗに沿ってスロット３０の内側に向かって突出するよう設けられている。被係合部材４０は、幅方向Ｄｗに軸線を有する円柱状で、円周状に湾曲した外周面４０ｆを有している。
【００４１】
図５、図６に示すように、筐体２０において、各スロット３０に対して前後方向Ｄａの他方の側には、電子回路基板２７が設けられている。電子回路基板２７は、各スロット３０に対応する位置に、受けコネクタ２８を備える。受けコネクタ２８は、後述する電子部品ユニット本体６０の接続コネクタ６５が着脱可能に接続される。
【００４２】
図９は、本発明の電子機器を構成する電子部品ユニットを示す斜視図である。
図６、図９に示すように、電子部品ユニット５０は、電子部品ユニット本体６０と、係合レバー７０と、を備える。
電子部品ユニット本体６０は、スロット３０に対して着脱可能に設けられる。電子部品ユニット本体６０は、ユニット筐体６１と、回路基板（電子部品）６２と、実装部品（電子部品）６３と、接続コネクタ（電子部品）６５と、ユニットカバー６７と、を備える。
【００４３】
ユニット筐体６１は、少なくとも底板部６１ａを有する。本実施形態において、ユニット筐体６１は、底板部６１ａと、側板部６１ｂと、天板部６１ｃと、を備える。
底板部６１ａは、平板状で、前後方向Ｄａに長辺を沿わせた平面視長方形状である。底板部６１ａは、各スロット３０内で底板２１上に載置される。底板部６１ａは、幅方向Ｄｗにおけるスロット３０の開口幅よりも僅かに小さい幅寸法を有している。側板部６１ｂは、底板部６１ａの幅方向Ｄｗの一端から上方に向かって立ち上がって設けられている。天板部６１ｃは、底板部６１ａの上方に平行に設けられている。天板部６１ｃは、側板部６１ｂの上端に接続されている。このようなユニット筐体６１は、前後方向Ｄａから見ると、略Ｃ字状をなしている。
【００４４】
ユニット筐体６１は、各スロット３０に対し、底板２１上に沿って、前後方向Ｄａにスライド可能となっている。ユニット筐体６１（電子部品ユニット本体６０）は、各スロット３０に対し、前後方向Ｄａに沿って、筐体２０の一方の側の端部２０ａから他方の側の端部２０ｂに向かって挿入される。
以下の説明において、各スロット３０に対してユニット筐体６１（電子部品ユニット本体６０）が挿入される方向を、挿入方向Ｄｉと称する。
【００４５】
回路基板６２は、板状で、幅方向Ｄｗに直交する面内に配置されている。回路基板６２は、幅方向Ｄｗから側面視したときに、長方形状をなしている。回路基板６２は、底板部６１ａと天板部６１ｃとの間で、側板部６１ｂと平行に固定されている。
【００４６】
実装部品６３は、各種の電気素子等からなり、回路基板６２の表面に実装されている。実装部品６３は、回路基板６２の一面のみに実装しても良いし、両面に実装しても良い。ここで、回路基板６２に実装する実装部品６３の種類、用途、形状、数等について、何ら限定するものではない。
【００４７】
接続コネクタ６５は、回路基板６２において、前後方向Ｄａの他方の側（挿入方向Ｄｉの前方）に設けられている。接続コネクタ６５は、各スロット３０において、挿入方向Ｄｉの前方に設けられた電子回路基板２７の受けコネクタ２８に対し、前後方向Ｄａに沿って着脱可能に接続される。
【００４８】
ユニットカバー６７は、電子部品ユニット本体６０において、挿入方向Ｄｉ後方の端部に設けられている。ユニットカバー６７は、ユニット筐体６１や回路基板６２に、図示しないビス等によって固定されている。ユニットカバー６７は、閉塞面部６７ａと、側面部６７ｂと、を有する。
【００４９】
閉塞面部６７ａは、前後方向Ｄａに直交する面内に設けられている。閉塞面部６７ａは、スロット３０の開口を閉塞する。閉塞面部６７ａには、上記のスロット３０に設けられた座部３１の雌ネジ孔３２に対応する位置に、ネジ挿通孔６７ｈ（図６参照）が形成されている。
【００５０】
側面部６７ｂは、閉塞面部６７ａの幅方向Ｄｗの一方の側から連続して、前後方向Ｄａに沿って延びている。側面部６７ｂは、幅方向Ｄｗにおいて、ユニット筐体６１の側板部６１ｂとは反対側に設けられている。
【００５１】
ユニットカバー６７には、複数の通風開口６８が形成されている。各通風開口６８は、閉塞面部６７ａを前後方向Ｄａに貫通して形成されている。各通風開口６８は、前後方向Ｄａから見て例えば正方形状をなしている。
【００５２】
ユニットカバー６７には、必要に応じて、回路基板６２に接続された各種のコネクタ６２ｃが、挿入方向Ｄｉの後方に向かって露出するよう設けられている。ユニットカバー６７には、回路基板６２に接続された各種のスイッチ、インジケーターランプ等を設けるようにしても良い。
【００５３】
係合レバー７０は、電子部品ユニット本体６０をスロット３０に係合させる。係合レバー７０は、レバー本体７１と、拘束部材７９と、を備える。
【００５４】
レバー本体７１は、レバー基部７２と、レバー延出部７３と、を一体に有している。
レバー基部７２は、幅方向Ｄｗに直交する面内において、上下方向Ｄｖに沿って延びる帯板状をなしている。レバー基部７２は、ユニットカバー６７の側面部６７ｂに沿うよう設けられている。レバー基部７２は、上下方向Ｄｖに延びている。レバー基部７２の下端部は、側面部６７ｂに、支軸７４を介して回動自在に連結されている。支軸７４は、レバー基部７２の上下方向Ｄｖの中間部よりも下方であって、レバー本体７１（レバー基部７２）の下端よりも所定寸法上方に設けられている。
【００５５】
レバー延出部７３は、レバー基部７２の上端部から、幅方向Ｄｗにおいてユニットカバー６７の内側に延びるよう設けられている。レバー延出部７３は、ユニットカバー６７の閉塞面部６７ａに対し、挿入方向Ｄｉの後方側から突き当たる。
【００５６】
レバー本体７１は、上下方向Ｄｖの下端部７１ｂに、係合溝７８を備える。係合溝７８は、レバー基部７２の下端から上方に向かって窪むように、半円弧状に形成されている。係合溝７８は、被係合部材４０に係合する。
【００５７】
このようなレバー本体７１は、支軸７４回りに回動することで、上下方向Ｄｖの上端部（一方の端部）７１ａが前後方向Ｄａに揺動可能となっている。
レバー本体７１は、以下に示す第一の状態Ｐ２１と第二の状態Ｐ２２との間で変位可能である。
【００５８】
図１０は、本発明の電子機器を構成する電子部品ユニットをスロット挿入し、係合レバーが第一の状態にあるときの状態を示す側面図である。
図１０に示すように、第一の状態Ｐ２１において、レバー本体７１は、上端部７１ａが下端部（他方の端部）７１ｂに対し、挿入方向Ｄｉの後方に傾斜する。この状態で、レバー本体７１の上端部７１ａは、ユニットカバー６７に対して挿入方向Ｄｉの後方に突出する。また、第一の状態Ｐ２１において、レバー本体７１は、係合溝７８が被係合部材４０の外周面４０ｆに挿入方向Ｄｉの後方から突き当たる。
【００５９】
図６に示すように、第二の状態Ｐ２２において、レバー本体７１は、上端部７１ａから下端部７１ｂまで鉛直となる。この第二の状態Ｐ２２において、レバー本体７１は、係合溝７８が被係合部材４０に係合する。また、レバー本体７１のレバー延出部７３は、ユニットカバー６７の閉塞面部６７ａに沿う。
【００６０】
拘束部材７９は、レバー本体７１を筐体２０に拘束する。拘束部材７９は、ネジ部材からなり、レバー延出部７３に形成されたネジ保持孔７３ｈに、回動自在に支持されている。拘束部材７９は、ユニットカバー６７のネジ挿通孔６７ｈに対応する位置に設けられている。拘束部材７９は、第二の状態Ｐ２２で、レバー延出部７３をユニットカバー６７の閉塞面部６７ａに沿わせた状態で、ネジ挿通孔６７ｈを通して、スロット３０の座部３１に設けられた雌ネジ孔３２に締結可能である。これにより、拘束部材７９は、レバー本体７１を第二の状態Ｐ２２に拘束可能である。
【００６１】
また、図５、図７、図８に示すように、各スロット３０において、幅方向Ｄｗ両側の仕切壁２５には、それぞれ、電磁シールド部材９０が設けられている。電磁シールド部材９０は、電子部品ユニット本体６０の側面と仕切壁２５との間で、上下方向Ｄｖに延びている。なお、電子部品ユニット本体６０において、係合レバー７０が設けられている側においては、電磁シールド部材９０は、係合レバー７０のレバー本体７１に対し、挿入方向Ｄｉの前方に配置されている。
【００６２】
図６、図９に示すように、電子部品ユニット本体６０の上面と下面とには、それぞれ、電磁シールド部材９１が設けられている。電磁シールド部材９１は、電子部品ユニット本体６０の下面と底板２１との間、電子部品ユニット本体６０の上面と上板２３との間で、それぞれ幅方向Ｄｗに延びている。
【００６３】
電磁シールド部材９０、９１は、電磁波を遮断する、導電性を有したシール材等からなる。電磁シールド部材９０、９１は、仕切壁２５と電子部品ユニット５０との隙間から、筐体２０内の各種の電子部品から発せられる電磁波（電磁ノイズ）が筐体２０の外部に漏出するのを抑える。
【００６４】
図１１は、本発明の電子機器を構成する電子部品ユニットをスロットから取り外した状態を示す側面図である。
上記したような電子部品ユニット５０は、スロット３０に対して着脱可能である。図１１に示すように、電子部品ユニット５０を、スロット３０から取り外した状態では、係合レバー７０は、レバー本体７１の上端部７１ａが下端部７１ｂに対して挿入方向Ｄｉ後方に突出して傾斜した状態となる。これは、拘束部材７９及びレバー延出部７３が、支軸７４に対して挿入方向Ｄｉ後方にのみ設けられ、拘束部材７９及びレバー延出部７３の自重によって係合レバー７０が傾斜する方向に回動するためである。
【００６５】
図１０に示すように、電子部品ユニット５０を、スロット３０に挿入するには、電子部品ユニット５０において、ユニットカバー６７及び係合レバー７０が設けられた側とは反対側の端部５０ａからスロット３０内に挿入していく。
すると、レバー本体７１は、下端部７１ｂに対して上端部７１ａが挿入方向Ｄｉ後方に傾斜した状態であるので、係合溝７８は、挿入方向Ｄｉの前方に向かって斜め下方を向いて開口している。この状態で、電子部品ユニット５０をスロット３０内に挿入していくと、レバー本体７１の係合溝７８が、被係合部材４０に挿入方向Ｄｉ後方から突き当たり、電子部品ユニット５０のスロット３０への挿入動作が一旦停止される。
【００６６】
このようにして係合溝７８が被係合部材４０に突き当たったとき、電子部品ユニット５０の回路基板６２に設けられた接続コネクタ６５は、受けコネクタ２８との間に、前後方向Ｄａにおいて間隔を隔てている。すなわち、接続コネクタ６５と受けコネクタ２８とは、非接触状態である。
これにより、係合レバー７０は、レバー本体７１が挿入方向Ｄｉ後方に傾斜し、係合溝７８が被係合部材４０に挿入方向Ｄｉ後方から突き当たる第一の状態Ｐ２１となる。
【００６７】
この後、作業者が、レバー本体７１の上端部７１ａを挿入方向Ｄｉ前方に向かって押圧する。すると、図６に示すように、レバー本体７１が支軸７４回りに回動し、係合溝７８に被係合部材４０が係合する。さらにレバー本体７１を押圧し続けると、被係合部材４０に係合溝７８が係合した状態で支軸７４回りに回動するレバー本体７１によって、電子部品ユニット本体６０がスロット３０内に押し込まれていく。すると、電子部品ユニット５０の回路基板６２に設けられた接続コネクタ６５が、筐体２０内に設けられた受けコネクタ２８に接続される。
これにより、係合レバー７０は、レバー本体７１が鉛直となり、係合溝７８が被係合部材４０に係合する第二の状態Ｐ２２となる。
【００６８】
この後、作業者が、拘束部材７９を、ネジ挿通孔６７ｈを通して座部３１に設けられた雌ネジ孔３２に締結させる。これにより、拘束部材７９は、レバー本体７１を第二の状態Ｐ２２に拘束する。
【００６９】
このような電子機器１Ｃ、電子部品ユニット５０は、拘束部材７９によってレバー本体７１の揺動を拘束することで、係合溝７８がレバー本体７１に係合した第二の状態Ｐ２２を維持できる。これにより、レバー本体７１が外力によって動くこともなく、電子部品ユニット本体６０を、スロット３０に収容した状態で確実に保持することができる。
また、レバー本体７１の係合溝７８が被係合部材４０に係合した状態で、拘束部材７９によってレバー本体７１が固定される。これにより、電子部品ユニット５０は、スロット３０に強固に固定された係合レバー７０によって固定されることになる。したがって、電子部品ユニット本体６０の振動によって、筐体２０内に設けられた各部のコネクタ等の接続状態が変化し、電磁ノイズが生じるのを抑えることができる。
【００７０】
さらに、電子部品ユニット本体６０をスロット３０に装着する際には、レバー本体７１の係合溝７８を、被係合部材４０に対して挿入方向Ｄｉの後方から突き当てた第一の状態Ｐ２１とする。この後、レバー本体７１を回動させて、上端部７１ａから下端部７１ｂまでを鉛直とした第二の状態Ｐ２２とする。このように、レバー本体７１を、第一の状態Ｐ２１を経て第二の状態Ｐ２２に移行させることで、係合溝７８を被係合部材４０に段階的に係合させることで、電子部品ユニット本体６０をスロット３０に装着する際に振動等が生じるのを抑えることができる。
このようにして、電子部品ユニット本体６０に外部から振動や力が加わったときに電磁ノイズが生じるのを抑えることができる。
【００７１】
また、レバー本体７１は、係合溝７８が形成された下端部７１ｂが下方に配置され、拘束部材７９が設けられた上端部７１ａが上方に位置するよう設けられている。
これにより、係合溝７８が被係合部材４０に係合していない状態で、拘束部材７９の重力によって、レバー本体７１が挿入方向Ｄｉ後方に傾斜した第一の状態Ｐ２１となる。これにより、電子部品ユニット本体６０をスロット３０に挿入するとき、レバー本体７１を操作して第一の状態Ｐ２１とする必要がない。したがって、電子部品ユニット５０のスロット３０への装着を容易に行うことができる。
【００７２】
また、被係合部材４０は、スロット３０に対する電子部品ユニット本体６０の挿入方向Ｄｉ後方側が、円周状に湾曲した外周面４０ｆを有している。
これにより、電子部品ユニット本体６０をスロット３０に装着する際に、係合溝７８が被係合部材４０の外周面４０ｆに突き当たったときに、電子部品ユニット本体６０の挿入動作が停止する。これにより、不用意に電子部品ユニット本体６０がスロット３０に押し込まれてしまうのを抑えることができる。
【００７３】
また、第一の状態Ｐ２１では、接続コネクタ６５と受けコネクタ２８とがスロット３０に対する電子部品ユニット本体６０の挿入方向Ｄｉに間隔をあけて対向し、第二の状態Ｐ２２で、接続コネクタ６５と受けコネクタ２８とが互いに接続される。
これにより、電子部品ユニット本体６０をスロット３０に装着する際に、接続コネクタ６５と受けコネクタ２８とがいきなり直接的に突き当たるのを抑えることができる。これにより、接続コネクタ６５と受けコネクタ２８とが突き当たることによる振動の発生を抑えることができる。したがって、電子部品ユニット本体６０をスロット３０に装着する際に、電磁ノイズが生じるのを抑えることができる。
【００７４】
また、レバー本体７１は、電子部品ユニット本体６０においてスロット３０に対する挿入方向Ｄｉ側方を向く側面部６７ｂに沿って設けられるレバー基部７２と、レバー基部７２からスロット３０に対する挿入方向Ｄｉに交差する方向に延出し、第二の状態Ｐ２２で拘束部材７９によってスロット３０の周囲に固定されるレバー延出部７３と、を有する。
このようなレバー本体７１は、電子部品ユニット本体６０とスロット３０の内周面との隙間を有効利用して配置することができる。
【００７５】
また、電子部品ユニット本体６０とスロット３０の内周面との間に、電磁シールド部材９０、９１が設けられている。これにより、電子部品ユニット本体６０とスロット３０の内周面との隙間から、電磁ノイズが外部に漏出するのを有効に抑えることができる。
【００７６】
なお、上記実施形態において、筐体２０を、例えば箱状に図示したが、その形状、構成については他のいかなるものとしても良い。
また、上記実施形態において、レバー本体７１は、上方に位置する上端部７１ａが前後方向に移動可能となり、下方に位置する下端部７１ｂに係合溝７８を備えるようにしたが、これに限らない。レバー本体７１の下方に位置する端部を前後方向に移動可能とし、上方に位置する端部に係合溝を備えるようにしてもよい。
さらに、上記実施形態において、被係合部材４０、及び係合溝７８を図示したが、その形状については、互いに係合可能であれば、いかなるものであってもよい。
【００７７】
また、上記実施形態では、筐体２０に設けるスロット３０の数、形状、構造等は適宜変更することが可能である。
さらに、電子部品ユニット５０の形状、構造，用途等も、他のいかなるものであってもよい。
これ以外にも、本発明の主旨を逸脱しない限り、上記実施の形態で挙げた構成を取捨選択したり、他の構成に適宜変更することが可能である。
【符号の説明】
【００７８】
１Ａ、１Ｂ、１Ｃ  電子機器
２、１２、２０  筐体
３、１３  収容部
４、１４、４０  被係合部材
６、１６、６０  電子部品ユニット本体
６ｐ、１６ｐ  電子部品
７、１７、７０  係合レバー
８、１８、７１  レバー本体
８ａ、１８ａ  一方の端部
８ｂ、１８ｂ  他方の端部
８ｍ、１８ｍ、７８  係合溝
９、１９、７９  拘束部材
１０、５０  電子部品ユニット
２８  受けコネクタ
３０  スロット（収容部）
４０ｆ  外周面
６２  回路基板（電子部品）
６３  実装部品（電子部品）
６５  接続コネクタ（電子部品）
７１ａ  上端部（一方の端部）
７１ｂ  下端部（他方の端部）
７２  レバー基部
７３  レバー延出部
９０、９１  電磁シールド部材
Ｄａ  前後方向
Ｄｉ  挿入方向
Ｄｖ  上下方向
Ｄｗ  幅方向
Ｐ１、Ｐ１１、Ｐ２１  第一の状態
Ｐ２、Ｐ１２、Ｐ２２  第二の状態
【図１】
2020077697.tif 000003
【図２】
2020077697.tif 000004
【図３】
2020077697.tif 000005
【図４】
2020077697.tif 000006
【図５】
2020077697.tif 000007
【図６】
2020077697.tif 000008
【図７】
2020077697.tif 000009
【図８】
2020077697.tif 000010
【図９】
2020077697.tif 000011
【図１０】
2020077697.tif 000012
【図１１】
2020077697.tif 000013
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
鉛直面内に配置され、幅方向に間隔をあけて複数設けられ、収容部を形成する仕切壁を有する筐体と、
前記収容部に対して着脱可能に設けられ、電子部品が備えられた電子部品ユニット本体と、
前記電子部品ユニット本体を前記収容部に係合させる係合レバーと、
前記仕切壁から、前記幅方向に沿って前記収容部の内側に向かって突出するように設けられ、前記係合レバーが係合可能な被係合部材と、を備え、
前記係合レバーは、
上下方向に延び、上下方向の一方の端部が前後方向に揺動可能となるよう、前記電子部品ユニット本体に連結されたレバー本体と、
前記レバー本体の上下方向の他方の端部に設けられ、前記被係合部材に係合する係合溝と、
前記レバー本体を前記筐体に拘束する拘束部材と、を備えるとともに、
前記レバー本体が、前記他方の端部に対して前記一方の端部が前記収容部に対する前記電子部品ユニット本体の挿入方向後方に突出して傾斜し、前記係合溝が前記被係合部材に挿入方向後方から突き当たる第一の状態と、
前記レバー本体が前記一方の端部から前記他方の端部まで鉛直となり、前記係合溝が前記被係合部材に係合する第二の状態と、の間で変位可能であり、
前記拘束部材は、前記レバー本体を前記第二の状態に拘束可能である
電子機器。
【請求項２】
前記レバー本体は、前記係合溝が形成された前記他方の端部が下方に配置され、前記拘束部材が設けられた前記一方の端部が上方に位置するよう設けられている
請求項１に記載の電子機器。
【請求項３】
前記被係合部材は、少なくとも前記収容部に対する前記電子部品ユニット本体の挿入方向後方側が、円周状に湾曲した外周面を有している
請求項１または２に記載の電子機器。
【請求項４】
前記電子部品ユニット本体は、前記筐体側に設けられた受けコネクタに電気的に接続される接続コネクタを有し、
前記第一の状態では、前記接続コネクタと前記受けコネクタとが前記電子部品ユニット本体の挿入方向に間隔をあけて対向し、
前記第二の状態で、前記接続コネクタと前記受けコネクタとが互いに接続される
請求項１から３のいずれか一項に記載の電子機器。
【請求項５】
前記レバー本体は、
前記電子部品ユニット本体において前記収容部に対する挿入方向側方を向く側面に沿って設けられるレバー基部と、
前記レバー基部から前記収容部に対する挿入方向に交差する方向に延出し、前記第二の状態で、前記拘束部材によって固定されるレバー延出部と、を有する
請求項１から４のいずれか一項に記載の電子機器。
【請求項６】
前記電子部品ユニット本体と前記収容部の内周面との間に、電磁シールド部材が設けられている
請求項１から５のいずれか一項に記載の電子機器。
【請求項７】
電子機器の筐体であって、鉛直面内に配置され、幅方向に間隔をあけて複数設けられ、収容部を形成する仕切壁を有する前記筐体に設けられた前記収容部に対して着脱可能に設けられ、電子部品が備えられた電子部品ユニット本体と、
前記電子部品ユニット本体を前記収容部に係合させる係合レバーと、を備え、
前記係合レバーは、
上下方向に延び、上下方向の一方の端部が前後方向に揺動可能となるよう、前記電子部品ユニット本体に連結されたレバー本体と、
前記レバー本体の上下方向の他方の端部に設けられ、前記仕切壁から、前記幅方向に沿って前記収容部の内側に向かって突出するように設けられる被係合部材に係合する係合溝と、
前記レバー本体を前記筐体に拘束する拘束部材と、を備えるとともに、
前記レバー本体が、前記他方の端部に対して前記一方の端部が前記収容部に対する前記電子部品ユニット本体の挿入方向後方に突出して傾斜し、前記係合溝が前記被係合部材に挿入方向後方から突き当たる第一の状態と、
前記レバー本体が前記一方の端部から前記他方の端部まで鉛直となり、前記係合溝が前記被係合部材に係合する第二の状態と、の間で変位可能であり、
前記拘束部材は、前記レバー本体を前記第二の状態に拘束可能である
電子部品ユニット。